(57)【要約】【課題】フィルタ装置の濾過槽内において、フロートスイッチによるフィルタ目詰まり検知のための液面位設定範囲を広く設定することが可能であると共に、濾過槽内の液面変動によるフロートスイッチの誤動作を避けることができる、新規な方式を採用したフロートスイッチを具備したフィルタ装置を提供すること。【解決手段】フィルタ装置内に具備されたフロートスイッチ１７は、基体２１、プラスチック製中空レンガ状フロート２２、フロート取り付け用軸２３、フロート取り付け用軸２３を軸２４に装着するためのブラケット２５、液面上限用、及び液面下限用の２か所のドッグ２６が挿着され、基体２１に左右２か所のベアリング２７により回転可能に保持された軸２４、液面上限、及び液面下限を検知するための２か所のリミットスイッチ２８により構成され、プラスチック製中空レンガ状フロート２２を取り付けるためのフロート取り付け用軸２３の軸径３２をφ４ｍｍ、プラスチック製中空レンガ状フロート２２のフロート取り付け用軸２３挿着用穴３３の穴径をφ６ｍｍとする。【選択図】  図２
2004202475.tif 000002
【特許請求の範囲】
【請求項１】
産業機械などから排出されるあらゆる材質のスラッジなどを含んだ水溶性または不水溶性クーラントを、平面状の紙などのフィルタを通過させることにより、前記クーラント中の前記スラッジを前記フィルタ内あるいは、前記フィルタ上に残留させることにより前記クーラントの濾過をおこない、
この濾過を継続することにより、前記フィルタが前記スラッジなどにより目詰まりを発生し、前記フィルタを通過できないクーラントが濾過槽内の前記フィルタ上に貯液されると、
前記フィルタ上に貯液されたクーラントの液面位をフロートスイッチにより検知し、検知した電気信号により電動機を起動して目詰まり後の前記フィルタをフィルタ装置の外部に排出し、目詰まり前の新しい前記フィルタをフィルタ装置の濾過槽内に送り込むフィルタ装置において、
前記フロートスイッチのフロート部を、直方体、あるいは立方体とすることを特徴とする前記フィルタ装置。
【請求項２】
請求項１において、
前記フロートスイッチのフロートを取り付けるためのフロート取り付け用軸の軸径と、
前記フロートの、前記フロート取り付け用軸挿着用穴の穴径の寸法差を大きく設けることにより、前記フロートのあらゆる方向への傾斜角度を少なくとも５度以上とすることを特徴とする前記フィルタ装置。
【発明の詳細な説明】
【０００１】
【産業上の利用分野】
本発明は、産業機械などから排出されるあらゆる材質のスラッジなどを含有しているクーラントの濾過をおこなうための、平面状の紙などのフィルタを使用するフィルタ装置に関する。
【０００２】
【従来の技術】
産業界では、リサイクル性の向上のため、産業機械などから排出されたスラッジなどを含有しているクーラントの濾過を、平面状の紙などのフィルタを使用しておこなうフィルタ装置において、
フィルタがスラッジなどにより目詰まりを発生し、そのため、フィルタを通過できないクーラントが濾過槽内のフィルタ上に貯液された場合に、濾過槽内のフィルタ上に貯液されたクーラントの液面位によりフィルタの目詰まりを検知するためのフロートスイッチについて、
目詰まり検知のための液面位設定可能範囲を広く設定することが可能なフロートスイッチが要望されている。
【０００３】
そこで従来より、図１に示す外観を有するフィルタ装置に、図３、及び図４に示すフロートスイッチ１７が具備されたフィルタ装置が提供されていた。
【０００４】
プラスチック製中空円形フロート３１は、フロート取り付け用軸２３の先端に固定され、他端は、フロート取り付け用軸２３を軸２４に装着するためのブラケット２５に挿着される。
軸２４は、左右２か所のベアリング２７を介して基体２１に装着される。
フロートスイッチ１７の基体２１内の軸２４には、電動機１８の起動用、停止用の２か所のドッグ２６が挿着され、基体２１の側板内面２９には、２か所のドッグ２６と係合するように電動機１８の起動用、停止用の２か所のリミットスイッチ２８が具備される。
【０００５】
フィルタ装置の平面状の紙などのフィルタ１５がスラッジなどにより目詰まりを発生し、フィルタ１５を通過できないクーラントが濾過槽１４内のフィルタ１５上に貯液されると、クーラントによる浮力により、フロート取り付け用軸２３先端に固定されたプラスチック製中空円形フロート３１は上昇する。
【０００６】
プラスチック製中空円形フロート３１が上昇すると、フロート取り付け用軸２３を介してフロート取り付け用軸２３を軸２４に装着するためのブラケット２５とドッグ２６が挿着された軸２４が回転し、回転するドッグ２６により２か所のリミットスイッチ２８を作動させ、その電気信号により電動機１８の起動、停止を繰り返し、目詰まりした平面状の紙などのフィルタ１５を濾過槽１４から外部に排出し、濾過槽１４内に新しい平面状の紙などのフィルタ１５を送り込む。
【０００７】
本構造におけるフロートスイッチ１７においては、外形約φ１００ｍｍのプラスチック製中空円形フロート３１を使用することにより、スラッジなどにより目詰まりしたフィルタ１５を通過できないクーラントがフィルタ１５上に液面高さ約５０ｍｍ貯液された時、その浮力により外形約φ１００ｍｍのプラスチック製中空円形フロート３１は浮き上がる。
【０００８】
つまり、本構造におけるフロートスイッチ１７においては、目詰まりしたフィルタ送り用電動機１８の起動時の濾過槽１４内最低液面位３０は、約５０ｍｍとなり、５０ｍｍ以下に設定することはできない。
【０００９】
【発明が解決しようとする課題】
本発明に係る請求項１は、フィルタ装置の平面状の紙などのフィルタがスラッジなどにより目詰まりを発生し、濾過槽内のフィルタを通過できないクーラントがフィルタ上に貯液された場合に、
濾過槽内のフィルタ上に貯液されたクーラントの液面位によりフィルタの目詰まりを検知するフロートスイッチの、目詰まり検知のための設定液面位範囲を広く設定することが可能なフロートスイッチを具備したフィルタ装置を提供することを課題とする。
【００１０】
本発明に係る請求項２は、濾過槽内の波などの液面変動によるフロートスイッチの誤動作を避けることができるフィルタ装置を提供することを課題とする。
【００１１】
【課題を解決するための手段】
請求項１に係るフィルタ装置は、
産業機械などから排出されるあらゆる材質のスラッジなどを含んだ水溶性または不水溶性クーラントを、平面状の紙などのフィルタを通過させることにより、クーラント中のスラッジをフィルタ内あるいは、フィルタ上に残留させることによりクーラントの濾過をおこない、
この濾過を継続することにより、フィルタがスラッジなどにより目詰まりを発生し、フィルタを通過できないクーラントが濾過槽内のフィルタ上に貯液されると、
フィルタ上に貯液されたクーラントの液面位をフロートスイッチにより検知し、検知した電気信号により電動機を起動して目詰まり後のフィルタをフィルタ装置の外部に排出し、目詰まり前の新しいフィルタをフィルタ装置の濾過槽内に送り込むフィルタ装置において、
フロートスイッチのフロート部を、直方体、あるいは立方体とすることを特徴とするものである。
【００１２】
請求項２に係るフィルタ装置は、
請求項１において、
フロートスイッチのフロートを取り付けるためのフロート取り付け用軸の軸径と、
フロートの、フロート取り付け用軸挿着用穴の穴径の寸法差を大きく設けることにより、フロートのあらゆる方向への傾斜角度を少なくとも５度以上とすることを特徴とするものである。
【００１３】
【発明の実施の形態】
本実施形態に係る、フィルタ目詰まりの検知を、直方体、あるいは立方体のフロートを具備するフロートスイッチによりおこなうフィルタ装置は、
研削盤等の産業機械から排出されるあらゆる材質の切り屑等を含有したクーラントを濾過するフィルタ装置である。
【００１４】
なお、産業機械などから排出されたスラッジなどを含有しているクーラントの濾過をおこなうフィルタ装置は、
フィルタがスラッジなどにより目詰まりを発生し、フィルタを通過できないクーラントが濾過槽内のフィルタ上に貯液された場合に、
濾過槽内のフィルタ上に貯液されたクーラントの液面位によりフィルタの目詰まりを検知するためのフロートスイッチについて、目詰まり検知のための液面位設定可能範囲を広く設定することが可能なフロートスイッチが要望されている。
【００１５】
以下、本発明の代表的な実施形態を図面を参照して説明する。
ただし、この実施例に記載されている構成部品の寸法、形状、材質、その相対的位置などは、特に特定的な記載がないかぎりは、この発明の範囲をそれらのみに限定する趣旨のものではなく、単なる説明例にすぎない。
【００１６】
本実施形態に係るフロートスイッチによるフィルタ目詰まり検知のための液面位設定範囲を広く設定することが可能なフロートスイッチを具備したフィルタ装置の一実施例を図１、図２、及び図４に示す。
【００１７】
図１、図２、及び図４から理解できるように、基体１１の上面に研削盤などの産業機械から排出されるクーラントを流入させるための流入口１２が備えられ、この流入口１２から流入されたクーラントは、基体１１内のとい１３を経由して、濾過槽１４に流入する。
濾過槽１４に流入されたクーラントは、フィルタ１５を通過して濾過され、フィルタ装置の下部に設置されたクーラントタンク１６内へと排出される。
【００１８】
以上述べたフィルタ１５によるクーラントの濾過を連続しておこなうと、フィルタ１５が切り屑などの濾過のため目詰まり状態となり、クーラントがフィルタ１５を通過することが困難となり、濾過槽１４におけるフィルタ１５上のクーラントの液面が上昇する。この液面の上昇を基体１１上に取り付けたフロートスイッチ１７により検知して、その電気信号により電動機１８を起動することにより目詰まり状態のフィルタ１５をフィルタ装置の外部に排出する。
目詰まりしたフィルタ１５が排出された後は、濾過槽１４が新しいフィルタ面となりフィルタ１５上の液面が下降し液面下限をフロートスイッチ１７にて検知することにより、電動機１８が停止しフィルタ１５の送りも停止する。
【００１９】
なお、紙などのフィルタ１５は、ロール状に巻かれ基体１１上に納められて、電動機１８起動時には、フィルタ送り用ベルト１９を回転させることによりフィルタ１５は、フィルタガイド２０に沿って送られる。
【００２０】
以上の動作を繰り返すことにより、研削盤などの産業機械から排出されるクーラントの濾過を連続しておこなうフィルタ装置内に、前述のように具備されたフロートスイッチ１７は、
基体２１、プラスチック製中空レンガ状フロート２２、フロート取り付け用軸２３、フロート取り付け用軸２３を軸２４に装着するためのブラケット２５、液面上限用、及び液面下限用の２か所のドッグ２６が挿着され、基体２１に左右２か所のベアリング２７により回転可能に保持された軸２４、液面上限、及び液面下限を検知するための２か所のリミットスイッチ２８、により構成される。
【００２１】
フィルタ１５が目詰まりを発生することにより濾過槽１４内の液面が上昇すると、その浮力によりプラスチック製中空レンガ状フロート２２は、上昇する。
プラスチック製中空レンガ状フロート２２の上昇に伴い、フロート取り付け用軸２３を介して軸２４に回転可能に挿着された２か所のドッグ２６が回転し、２か所のドッグ２６の内、液面上限検知用ドッグが、基体２１の側板内面２９に具備された２か所のリミットスイッチ２８の内、液面上限検知用のリミットスイッチを作動させることにより電動機１８は、起動し、フィルタ送り用ベルト１９を回転させることにより目詰まり後のフィルタ１５は、フィルタガイド２０に沿って送られる。
【００２２】
目詰まりしたフィルタ１５が排出された後は、濾過槽１４が新しいフィルタ面となり、フィルタ１５上の液面が下降すると同時にプラスチック製中空レンガ状フロート２２も下降し、２か所のドッグ２６の内、液面下限検知用ドッグが、２か所のリミットスイッチ２８の内、液面下限検知用のリミットスイッチを作動させることにより、電動機１８が停止しフィルタ１５の送りも停止する。
【００２３】
なお、プラスチック製中空レンガ状フロート２２の寸法が、例えば縦×横×高さが、１５０ｍｍ×７０ｍｍ×３０ｍｍの場合に水面下に沈む高さ寸法は、約１５ｍｍとなり、従来の直径１００ｍｍプラスチック製中空円形フロート３１と比較すると最低液面位３０が約３５ｍｍ浅くなったことにより、フロートスイッチ１７によるフィルタ目詰まり検知のための液面位設定範囲を、従来と比較し約３５ｍｍ広く設定することが可能となる。
【００２４】
また、プラスチック製中空レンガ状フロート２２を取り付けるためのフロート取り付け用軸２３の軸径３２をφ４ｍｍ、プラスチック製中空レンガ状フロート２２のフロート取り付け用軸２３挿着用穴３３の穴径をφ６ｍｍとすることにより、プラスチック製中空レンガ状フロート２２のあらゆる方向への傾斜角度を少なくとも５度以上とすることができ、そのことにより濾過槽１４内の波などの液面変動によるフロートスイッチ１７の誤動作を避けることができる。
その他本発明装置は、前にも述べたように上記し、かつ図面に示した実施例に限定されるものではなく、要旨を逸脱しない範囲内で適宜変更し得るものである。
【００２５】
【発明の効果】
請求項１に係るフィルタ装置によれば、フロートスイッチによるフィルタ目詰まり検知のための液面位設定範囲を、従来と比較し約３５ｍｍ広く設定することが可能となり、目詰まり時の液面上限位を従来と比較して低く設定することが可能となる為、フィルタ装置の濾過槽からのクーラントのオーバーフローを防止することができる。
【００２６】
請求項２に係るフィルタ装置によれば、濾過槽内の波などの液面変動によるフロートスイッチの誤動作を避けることができる。
【図面の簡単な説明】
【図１】フィルタ装置の一例を示す外観の斜視図である。
【図２】本発明のフィルタ装置用フロートスイッチの説明図である。
【図３】従来のフィルタ装置用フロートスイッチの説明図である。
【図４】フィルタ装置用フロートスイッチのＡ矢視図である。
【符号の説明】
2004202475.tif 000003
【図１】
2004202475.tif 000004
【図２】
2004202475.tif 000005
【図３】
2004202475.tif 000006
【図４】
2004202475.tif 000007